(57)【特許請求の範囲】
【請求項１】
アンカ−孔の口元部の孔外に設置し、削孔用ケ−シングパイプの外周面を止水可能に保持する削孔泥水の噴出防止装置において、
アンカ−孔の口元部に設置してケ−シングパイプを貫通させる管体であって、周面に削孔泥水の排水口を有する排水管と、
この排水管と連結させてケ−シングパイプを貫通させる管体であって、この管体内周面とケ−シングパイプ外周面との間を止水可能に保持する保持管と、
前記排水管と保持管との連結部に介在させて連結部の止水を図ると共に、
排水管と保持管とを弾性的に連結する外側パッキンとよりなり、
当該保持管は、排水管との間に挟持した外側パッキンの弾性によってケーシングパイプに追従して偏心揺動可能に連結してあることを特徴とした、
アンカ−孔掘削時の泥水噴出防止装置。
【請求項２】
請求項１に記載のアンカ−孔掘削時の泥水噴出防止装置において、
排水管の周面には、排水口とは別に固結材の注入口を設けたことを特徴とする、
アンカ−孔掘削時の泥水噴出防止装置。
【請求項３】
請求項１又は２に記載のアンカ−孔掘削時の泥水噴出防止装置において、
外側パッキンは、保持管の外周面に装着し、
かつ保持管外周面の途上に突設したフランジと排水管端部に突設したフランジとで挟持して取り付けることを特徴とする、
アンカ−孔掘削時の泥水噴出防止装置。
【発明の詳細な説明】
【０００１】
【発明の属する技術分野】
本発明は、アンカ−孔掘削時の泥水噴出防止装置に関するものである。
【０００２】
【従来の技術】
ア−スアンカ−の施工は、概ね、削孔→固結材注入→鋼線挿入→ケ−シングパイプの引き抜き・固結材加圧注入→緊張・定着の順で行われる。このうち削孔は、通常、ケ−シングパイプの先端にビットを装着し、ケ−シングパイプを継ぎ足しながら回転させて行われる。
【０００３】
【発明が解決しようとする課題】
削孔時あるいはケ−シングパイプ引き抜き時に、削孔泥水が孔口元部より噴出するため、作業員や周辺資機材が汚れたり、足場がゆるくなったりして作業環境が著しく悪化する。
【０００４】
【発明の目的】
本発明は、上記のような問題点を解決するためになされたもので、削孔泥水の噴出を防止し、作業環境の改善を図ることができる、アンカ−孔掘削時の泥水噴出防止装置を提供することを目的とする。
【０００５】
【課題を解決するための手段】
上記課題を解決するための手段として、本発明は、アンカ−孔の口元部の孔外に設置し、削孔用ケ−シングパイプの外周面を止水可能に保持する削孔泥水の噴出防止装置において、アンカ−孔の口元部に設置してケ−シングパイプを貫通させる管体であって、この管体内周面とケ−シングパイプ外周面との間を止水可能に保持する保持管と、前記排水管と保持管との連結部に介在させて連結部の止水を図ると共に、排水管と保持管とを弾性的に連結する外側パッキンとよりなり、当該保持管は、排水管との間に挟持した外側パッキンによってケーシングパイプに追従して偏心揺動可能に連結してあることを特徴とした、アンカ−孔掘削時の泥水噴出防止装置を提供する。
【０００６】
また、上記排水管の周面には、排水口とは別に固結材の注入口を設けたことを特徴とする、アンカ−孔掘削時の泥水噴出防止装置を提供する。さらに、上記パッキンは、保持管の外周面に装着し、かつ保持管外周面の途上に突設したフランジと排水管端部に突設したフランジとで挟持して取り付けることを特徴とする、アンカ−孔掘削時の泥水噴出防止装置を提供する。以下、図１〜３を参照しながら、本発明の一実施の形態について説明する。
【０００７】
【発明の実施の形態】
＜イ＞座板
座板100 は、図２に示すように、ケ−シングパイプ200 の貫通穴101 を中央に開設した板体である。この一方の面の隣合う角部の近傍には、Ｌ型の掛止ブラケット102 を対向させて突設しておく。そして、図１に示すように、掛止ブラケット102 を下にして土止壁等に取り付けた後、掛止ブラケット102 にパッキン110 を装着する。
【０００８】
＜ロ＞排水管
排水管300 は、図１に示すように、ケ−シングパイプ200 の外径よりも大きな内径を有しており、その内外径間のクリアランスは、ケ−シングパイプ200 の挿入、引き抜き時の偏心揺動で衝合しないだけ確保しておく。
【０００９】
排水管300 の両端にはフランジ301 、302 を設ける。これらのフランジ301 、302 は平行でなく傾斜して設けられており、排水管300 をアンカ−孔210 の削孔角度に合わせて設置できるよう構成されている。
【００１０】
排水管300 の周面の途上には、図３に示すように大小の枝管310 、320 が連通してある。それぞれ排水口311 、固結材注入口321 として利用する。また両管体の内周面にはねじ312 、322 を刻設し、栓体を螺合することにより開閉自在に構成する。
【００１１】
＜ハ＞保持管
保持管400 は、図１、２に示すように、ケ−シングパイプ200 を貫通させて保持する管体であって、その外周面の途上にはフランジ401 を突設する。また、外周面の一方端側には後述のキャップ610 を螺合するための雄ねじ402 を刻設しておく。さらに、内周面の途上に段差面403 を設け、止水用の内側パッキン410 を所要数配設しておく。この内側パッキン410 には耐摩耗性を有するグランドパッキン等を用いるとよい。
【００１２】
＜ニ＞外側パッキン
外側パッキン500 は、図１、２に示すように、保持管400 のねじ雄402 を設けない側の外周面に所要数装着される。この外側パッキン500 にはゴム材等の止水性及び弾性を有する部材を用いる。
【００１３】
そして、図１に示すように、外側パッキン500 を排水管300 のフランジ302 と保持管400 のフランジ401 とで挟持し、ボルト501 で締結することによって、排水管300 と保持管400 との連結を行う。これによって、排水管300 と保持管400 とを弾性的に連結することができるため、ケ−シングパイプ200 の挿入、引き抜き時に発生する偏心揺動に追従することができる。
【００１４】
＜ホ＞押え管
押え管600 は、図１、２に示すように、ケ−シングパイプ200 の外径より大きい内径を有し、かつ保持管400 の雄ねじ402 を刻設した側の内径よりも小さい外径を有している。また、その一端部には、保持管400 の雄ねじ402 を刻設した側の内径よりも大きい外径の拡径部601 を設けておく。
【００１５】
押え管600 は、図１に示すように、保持管400 内の内側パッキン410 を軸方向に押し付け、内側パッキン410 とケ−シングパイプ200 の外周面との接触圧力を調整するためのものである。
【００１６】
＜ヘ＞キャップ
キャップ610 は、図１、２に示すように、一方端を開放した中空円筒の端面611 に、ケ−シングパイプ200 の外径より大きい挿通孔612 を開設してある。端面611 の反対側の円筒内面には、保持管400 の雄ねじ402 と螺合する雌ねじ613 を刻設する。また、端面611 側の外周面には、締結レンチのピンを挿入して回転させるための複数のピン穴614 を開設する。
【００１７】
そして、キャップ610 と保持管400 との螺合長さを調整することによって、押え管600 の押圧力を調整し、内側パッキン410 とケ−シングパイプ200 の外周面との接触圧力を調整することができる。
【００１８】
【施工方法】
上記のように削孔予定のアンカ−孔210 の口元部に本発明の装置を設置した後、排水口311 には排水ホ−スを連結し、所定の泥水処理場所に導く。一方、固結材注入口321 には栓体を螺合して閉塞しておく。そして、ケ−シングパイプ200 をキャップ610 の挿通孔612 側から挿入し、回転させながら掘削を行う。
【００１９】
このとき、排水管300 と保持管400 とは外側パッキン500 を介して弾性的に連結されているため、ケ−シングパイプ200 の挿入時に発生する偏心揺動に追従することができる。また、後述のケ−シングパイプ200 の引き抜き時も同様である。
【００２０】
さらに、削孔泥水がケ−シングパイプ200 と孔壁の間を通って孔外に噴出しようとするが、内側パッキン410 及び外側パッキン500 等で止水されているため、泥水は排水口311 及びホ−スを介して所定の泥水処理場所に送水される。よって、作業環境を悪化させることはない。なお、削孔中は固結材注入口321 にもホ−スを連結して排水を行ってもよい。
【００２１】
削孔完了後、アンカ−孔210 内への固結材の注入→鋼線の挿入→ケ−シングパイプ200 の引き抜き・固結材加圧注入→緊張・定着の順で施工を進める。ケ−シングパイプ200 の引き抜き時に発生する泥水も、排水口311 を介して所定の泥水処理場所に排水することができる。
【００２２】
そして、最後のケ−シングパイプ200 を引き抜く際には、図１に示すように、その先端部201 が座板100 に近付いた時点で引き抜きを停止し、固結材注入口321 を開放してそこから水ガラス等の固結材700 を孔内に注入する。これによって、孔内の残存削孔泥水を固化できるため、ケ−シングパイプ200 を全部引き抜いた直後の削孔泥水の孔外への噴出を防止できる。
【００２３】
【発明の効果】
本発明は以上説明したようになるため、次のような効果を得ることができる。＜イ＞削孔時あるいはケ−シングパイプの引き抜き時に孔外に噴出する削孔泥水を、排水管の排水口を介して所定の処理場所に送水できるため、作業環境の改善を図ることができる。
【００２４】
＜ロ＞最後のケ−シングパイプを引き抜く直前に、排水管に設けた注入口より固結材を孔内に注入することによって、孔内の残存削孔泥水を固化できるため、ケ−シングパイプを全部引き抜いた直後の削孔泥水の孔外への噴出を防止できる。
【００２５】
＜ハ＞排水管と保持管とを弾性的に連結してあるため、ケ−シングパイプの挿入、引き抜き時に発生する偏心揺動に追従することができる。従って、偏心揺動により発生するケ−シングパイプ外周面と保持管内周面との摩擦抵抗を低減し、保持管及びケ−シングパイプの寿命を長くすることができ、経済的である。また、ケ−シングパイプの挿入、引き抜きがスム−ズに行えるため、作業効率の向上を図ることもできる。
【図面の簡単な説明】
【図１】  本発明の一実施の形態の全体の説明図
【図２】  本発明の一実施の形態の分解した状態の説明図
【図３】  本発明の一実施の形態の排水管の説明図
【図１】
0003877377.tif 000002
【図２】
0003877377.tif 000003
【図３】
0003877377.tif 000004